(57)【要約】  【課題】温度分布のよい気流の吹出しが可能な空調ユニット、および貯蔵品質が安定した農産物等の物品貯蔵装置を提供することを目的とする。  【解決手段】空調ユニット１の吸込み口１７と吹出し口１８を熱交換室４の対角位置に設け、空調ユニット１の外郭に対して所定角度偏った方向への気流吹出しとし、貯蔵庫３４への取付け状態において、貯蔵室３３内におけるコーナーへの送風を可能にしたことにより、コーナー部を利用しての気流の分散が行えるため、吹出し気流の分布斑を抑制し、貯蔵室３３内を一様の温度分布状態とすることができる。【選択図】図１
2010133630.tif 000002
【特許請求の範囲】
【請求項１】
吸込み口と該吸込み口と所定間隔を介して位置する吹出し口を底面に設けた矩形の熱交換室を具備し、前記熱交換室内に、前記吸込み口と吹出し口の間に位置する利用側熱交換器と、前記吸込み口から前記利用側熱交換器を通過し、前記吹出し口より吹出す気流を生成する送風手段を設けた空調ユニットにおいて、前記吸込み口と吹出し口を対角位置に配置し、さらに、前記利用側熱交換器と共に冷凍サイクルを形成する圧縮機、熱源側熱交換器、減圧手段、および前記熱源側熱交換器の熱交換作用を促進する熱源側送風手段を具備する機械室を設けた空調ユニット。
【請求項２】
前記利用側熱交換器を、該熱交換器を構成する配管が、前記吸込み口と前記吹出し口が対向する対角と異なる対角方向に延出するよう配置した請求項１に記載の空調ユニット。
【請求項３】
前記熱交換室内に、断熱性を有し、かつ前記吸込み口から前記利用側熱交換器を通過して前記吹出し口に至る風路を形成する風路部材を設けた請求項１または２に記載の空調ユニット。
【請求項４】
前記吹出し口を、前記熱交換室の対角側が上底となる台形に形成し、前記風路部材における前記吹出し口近傍の断面形状を、前記吹出し口の上底および該上底を挟む二辺と対向する壁面が、前記上底および前記二辺と平行に位置する形状とした請求項１から３のいずれか一項に記載の空調ユニット。
【請求項５】
前記吸込み口を、前記熱交換室の対角側が上底となる台形に形成し、前記風路部材における前記吸込み口近傍の断面形状を、前記吸込み口の上底および該上底を挟む二辺と対向する壁面が、前記上底および前記二辺と平行に位置する形状とした請求項１から４のいずれか一項に記載の空調ユニット。
【請求項６】
前記熱交換室と前記機械室を隣接して本体内に配置した請求項１から５のいずれか一項に記載の空調ユニット。
【請求項７】
物品を収納貯蔵する貯蔵室と、前記貯蔵室の一面に設けられ、該貯蔵室内の開閉を行う扉体と、前記貯蔵室の天井部に配置され、該貯蔵室内に少なくとも温度調節された空調空気を供給する空調ユニットを具備した物品貯蔵装置において、前記空調ユニットを、請求項１から６のいずれか一項に記載の空調ユニットとした物品貯蔵装置。
【請求項８】
前記空調ユニットを、前記貯蔵室の天面におけるコーナー部に配置した請求項７に記載の物品貯蔵装置。
【発明の詳細な説明】
【技術分野】
【０００１】
本発明は、米穀類、野菜等の農産物、あるいは食品等の如く所定の範囲の温度で貯蔵（保存）を要する物品の貯蔵装置に取付けられる空調ユニット、および前記空調ユニットによって貯蔵室内を所定の条件に維持する物品貯蔵装置に関するものである。
【背景技術】
【０００２】
従来、この種の貯蔵装置として、農産物を対象とした低温貯蔵庫が知られている（例えば、特許文献１参照）。
【０００３】
以下、図面を参考にしながら上記従来の農産物低温貯蔵庫について説明する。
【０００４】
図６は、従来例を示す空調ユニットを具備した農産物低温貯蔵庫の斜視図である。図７は、同農産物低温貯蔵庫の天井面に取付けられた空調ユニットの内部構成図である。図８は、同空調ユニットの吸込み口部と吹出し口部の構造を示す図７のＣ−Ｃ断面図である。
【０００５】
図６乃至図８において、貯蔵庫１０１は、天上部に空調ユニット（以下、冷却ユニットと称す）１０３を配置し、前面には、扉１０２が開閉可能に設けられている。
【０００６】
冷却ユニット１０３は、前述の如く、前面に扉１０２を有した断熱性の高い貯蔵庫１０１の天井面に載せられ、落下、転倒しないようにボルトなどで固定されている。
【０００７】
また、冷却ユニット１０３は、ベース１０３ａとケース１０３ｂで形成される内部を、機械室１０４と冷却室１０５に区画しており、機械室１０４内には、冷凍サイクルを構成する圧縮機１０６、凝縮器、凝縮器用送風機（いずれも図示せず）等が配置され、また、冷却室１０５内には、圧縮機１０６、凝縮器と共に冷凍サイクルを構成する減圧器（図示せず）、蒸発器１０７、蒸発器用送風機（図示せず）が配置されている。
【０００８】
さらに、冷却室１０５のベース１０３ａには、蒸発器１０７を挟んで位置する吸込み口１０８と吹出し口１０９が設けられている。
【０００９】
そして、貯蔵庫１０１の天井面の開口（図示せず）にあわせて冷却ユニット１０３の吸込み口１０８と吹出し口１０９を位置させることにより、冷却ユニット１０３の冷却室１０５で生成された冷気を、貯蔵庫１０１内に循環させることができる構成となる。
【特許文献１】特開２００４−２５１６０８号公報
【発明の開示】
【発明が解決しようとする課題】
【００１０】
しかしながら、上記従来の冷却ユニット１０３は、吸込み口１０８と吹出し口１０９を冷却ユニットのベース１０３ａの四辺と平行もしくは直角となる関係に形成、配置されているため、図６に示す如く、冷却ユニット１０３の貯蔵庫１０１への装着状態においては、吹出し口１０９より吹出された冷気は、貯蔵庫１０１の側壁に正面から衝突し、上下左右に広がるものの吸込み口１０８への吸込み気流となって反吹出し方向へ流れ、吸込み口１０８より吸込まれる流れとなってしまうものであった。
【００１１】
したがって、貯蔵庫１０１のコーナー部への冷気の到達が不足し、気流分布が悪いことに起因して貯蔵物によっては、温度分布の斑から貯蔵状態（品質）が安定しない等の課題を有するものであった。
【００１２】
本発明は、上記従来の課題を解決するもので、貯蔵庫内におけるコーナー部への送風が可能な空調ユニットを提供し、貯蔵庫内の気流分布を良好にして、貯蔵品質が安定した物品貯蔵装置を提供することを目的とするものである。
【課題を解決するための手段】
【００１３】
上記従来の課題を解決するために、本発明の空調ユニットは、熱交換室に設けた吸込み口と吹出し口を、該熱交換器室において対角位置に配置したものである。
【００１４】
かかることにより、前記空調ユニットの貯蔵庫への設置に伴い、貯蔵室内の壁に斜め気流で吹出すことができ、その結果、壁面に沿う気流が形成され貯蔵物品を包み込むような気流の分布が可能となる。
【００１５】
また、前記空調ユニットを具備した物品貯蔵装置においては、前述の気流分布により、良好な庫内の温度分布が得られ、安定した貯蔵品質を得ることができる。
【発明の効果】
【００１６】
本発明の空調ユニットは、吸込み口と吹出し口を、熱交換室において、利用側熱交換器を挟んで対角位置に配置することにより、熱交換空気を貯蔵室内の壁に斜め気流で吹出すことができ、その結果、壁面に沿う気流が形成され、貯蔵室のコーナー部への気流到達も可能となる。その結果、貯蔵物品を包み込むような気流の分布を容易に得ることができる。
【００１７】
さらに、物品貯蔵装置においては、前記空調ユニットを、貯蔵装置の扉体側に近いコーナー部に設置したことにより、貯蔵室内における対角方向への送風が可能となり、その結果、温度調節した空気の貯蔵室内での分布が良好となり、温度分布のムラを少なくし、貯蔵環境を良化して貯蔵品質の安定化をはかることができる。
【発明を実施するための最良の形態】
【００１８】
請求項１に記載の発明は、吸込み口と該吸込み口と所定間隔を介して位置する吹出し口を底面に設けた矩形の熱交換室を具備し、前記熱交換室内に、前記吸込み口と吹出し口の間に位置する利用側熱交換器と、前記吸込み口から前記利用側熱交換器を通過し、前記吹出し口より吹出す気流を生成する送風手段を設けた空調ユニットにおいて、前記吸込み口と吹出し口を対角位置に配置し、さらに、前記利用側熱交換器と共に冷凍サイクルを形成する圧縮機、熱源側熱交換器、減圧手段、および前記熱源側熱交換器の熱交換作用を促進する熱源側送風手段を具備する機械室を設けたものである。
【００１９】
かかる構成とすることにより、前記吸込み口と吹出し口の間隔を広く確保することができ、吸込み口から吹出し口へ流れる気流の急激な曲がりを抑制することができる。その結果、前述の急激な曲がりに起因する気流の騒音を抑制し、静寂な運転を行うことができる。
【００２０】
また、矩形の熱交換室の対角吹出し、吸込みのため、前記熱交換室を該外郭が貯蔵庫と平行になるように設置した場合に、貯蔵庫内の壁へ斜め気流で吹出し、壁面に沿う気流を形成することができ、その結果、物品を包むように気流の分布が可能となり、温度分布斑の少ない物品貯蔵環境を形成することができる。
【００２１】
請求項２に記載の発明は、請求項１に記載の発明において、前記利用側熱交換器を、該熱交換器を構成する配管が、前記吸込み口と前記吹出し口が対向する対角と異なる対角方向に延出するよう配置したものである。
【００２２】
かかる構成とすることにより、前記利用側熱交換器を通過する気流の方向に対して交差する方向の寸法を長く確保することができ、その長くできる寸法に見合って利用側熱交換器の気流が通過する方向の寸法を短くすることができる。したがって、前記利用側熱交換器の通風抵抗を抑制し、熱交換能力を確保することができる。
【００２３】
また、前記利用側熱交換器の気流が通過する方向の寸法を短くすることに伴い、前記吸込み口と吹出し口それぞれにおける利用側熱交換器に近い辺の距離を近づけることもでき、吸込み口と吹出し口の面積確保、調整が容易となり、安定した送風性能を確保することができる。
【００２４】
請求項３に記載の発明は、請求項１または２に記載の発明において、前記熱交換室内に、断熱性を有し、かつ前記吸込み口から前記利用側熱交換器を通過して前記吹出し口に至る風路を形成する風路部材を設けたものである。
【００２５】
かかる構成とすることにより、利用側熱交換器で生成された調和空気の熱損失を断熱性の風路部材によって防止、抑制することができ、所望の調和空気を吹出すことができる。
【００２６】
請求項４に記載の発明は、請求項１から３のいずれか一項に記載の発明において、前記吹出し口を、前記熱交換室の対角側が上底となる台形に形成し、前記風路部材における前記吹出し口近傍の断面形状を、前記吹出し口の上底および該上底を挟む二辺と対向する壁面が、前記上底および前記二辺と平行に位置する形状としたものである。
【００２７】
かかる構成とすることにより、吹出し口直前の風路形状、大きさ（面積）を、前記吹出し口と略同等とし、風路内における吹出し口の直前での乱流発生を抑制することができる。その結果、円滑な送風吹出しを行うことができ、乱流に伴う騒音、あるいは乱流に起因した吹出し口周辺での結露を抑制することができる。
【００２８】
請求項５に記載の発明は、請求項１から４のいずれか一項に記載の発明において、前記吸込み口を、前記熱交換室の対角側が上底となる台形に形成し、前記風路部材における前記吸込み口近傍の断面形状を、前記吸込み口の上底および該上底を挟む二辺と対向する壁面が、前記上底および前記二辺と平行に位置する形状としたものである。
【００２９】
かかる構成とすることにより、吸込み口直後の風路形状、大きさ（面積）を、前記吸込み口と略同等とし、風路内における吸込み口の直後での乱流発生を抑制することができる。その結果、乱流に伴う騒音を抑制することができる。
【００３０】
請求項６に記載の発明は、請求項１から５のいずれか一項に記載の発明において、前記熱交換室と前記機械室を隣接して本体内に配置したものである。
【００３１】
かかる構成とすることにより、単一の空調ユニットとすることができ、設置等の作業性を向上することができる。
【００３２】
請求項７に記載の発明は、物品を収納貯蔵する貯蔵室と、前記貯蔵室の一面に設けられ、該貯蔵室内の開閉を行う扉体と、前記貯蔵室の天井部に配置され、該貯蔵室内に少なくとも温度調節された空調空気を供給する空調ユニットを具備した物品貯蔵装置において、前記空調ユニットを、請求項１から６のいずれか一項に記載の空調ユニットとした物品貯蔵装置である。
【００３３】
かかることにより、前記貯蔵室内には、前記空調ユニットにおける対角からの吹出し、吸込み気流が形成され、貯蔵室の内周壁に沿った気流を得ることができる。その結果、貯蔵室内のコーナー部まで調和空気を到達させることができ、貯蔵室内における温度分布の斑を緩和して安定した貯蔵品質を得ることができる。
【００３４】
請求項８に記載の発明は、請求項７に記載の発明において、前記空調ユニットを、前記貯蔵室の天面におけるコーナー部に配置したものである。
【００３５】
かかることにより、前記空調ユニットから吹出される気流の方向を、前記貯蔵室内において、該空調ユニットが配置されたコーナーの対角方向とすることができる。その結果、貯蔵室の前記コーナー部近辺を軸に、気流を上下左右に分布させ、吸込み口側へ導く流れを形成し、貯蔵室内の温度分布をより良好とし、貯蔵品質をより安定させることができる。
【００３６】
以下、図面を参照しながら本発明の実施の形態について説明する。なお、この実施の形態によって本発明が限定されるものではない。
【００３７】
（実施の形態１）
図１は、本発明の実施の形態１における空調ユニットの底面側からの斜視図である。図２は、同空調ユニットの内部構成を示す図１のＡ−Ａ線による縦断面図である。図３は、同空調ユニットの内部構成を示す図１のＢ−Ｂ線による平面断面図である。
【００３８】
図１乃至図３において、空調ユニット（以下、冷却ユニットと称す）１は、内部が、機械室２と、断熱性を有する風路部材３によって囲われた矩形の熱交換室（以下、冷却室と称す）４に区画された本体５と、機械室２と冷却室４を覆い、外郭を形成するカバー６を具備している。そして、機械室２には、冷凍サイクルを構成する圧縮機７と、凝縮器（熱源側熱交換器）８と、圧縮機７の冷却作用も兼ねる凝縮器用の送風機９と、送風機９の送風経路に位置した蒸発皿１０がそれぞれ配置されている。
【００３９】
また、機械室２の側壁には、凝縮器８に対向した流入口６ａと、流入口６ａの側壁と異なる側壁で圧縮機７と対向した流出口６ｂが設けられ、蒸発皿１０は、送風機（本発明の熱源側送風手段に相当）９と圧縮機７の間に位置している。さらに、蒸発皿１０には、圧縮機７の吐出側である高圧管１１が熱交換可能に引き回されており、蒸発皿１０に溜まった結露水は、この高圧管１１の熱によって加熱され、また、送風機９が運転されていれば気化促進を受けながら蒸発する。
【００４０】
さらに、機械室２の流入口６ａと対向する側壁、すなわち、前面の側壁には、冷却ユニット１の運転内容を設定する操作部１２が設けられ、この操作部１２と近い位置に、操作部１２の設定内容に基づいて圧縮機７、送風機９および後述する送風機１５等の運転を制御する制御装置（電装品箱）１３が配置されている。
【００４１】
また、機械室２の底面には、制御装置１３の投影面内に位置して外部機器（図示せず）との接続を行うリード線（図示せず）の貫通孔２ａが設けられている。
【００４２】
さらに、冷却室４には、圧縮機７、凝縮器８と共に冷凍サイクルを構成する減圧手段１９および蒸発器（利用側熱交換器）１４と、蒸発器用の送風機（本発明の送風手段に相当）１５と、蒸発器１４に結露した結露水を受けるドレン皿１６が配置され、また本体５における冷却室４の底面には、対角に位置する吸込み口１７と吹出し口１８が設けられている。
【００４３】
これらの吸込み口１７と吹出し口１８は、上底（短辺）と下底（長辺）を有する台形状に形成されており、対角の頂部側が上底（短辺）となるように配置されている。
【００４４】
また、冷却室４には、前述の如く断熱性を具備した風路部材３が設けられている。この風路部材３は、吸込み口１７から蒸発器１４を通過し、吹出し口１８へ連続した風路２２を形成するものであるが、機械室２と冷却室４を区画する区画部材も兼ねている。
【００４５】
そして、風路部材３における吸込み口１７直後の風路部分と、吹出し口１８直前の風路部分は、それぞれ厚肉部３ｄを設ける等してそれぞれの上底側において、図３に示す如く、上底と対向する壁面３ａおよび該上底を挟む二辺と対向する壁面３ｂ、３ｃが、前記上底および前記二辺と平行となるように形成されている。
【００４６】
ここで、蒸発器１４、蒸発器用の送風機１５、ドレン皿１６は、吸込み口１７と吹出し口１８の間に位置し、蒸発器１４とドレン皿１６は、吸込み口１７から吹出し口１８へ流れる気流方向に対して交差する方向の寸法が長くなる対角方向に延出している。
【００４７】
また、冷却室４のドレン皿１６には、ドレン皿１６に溜まった結露水を、断熱体３を貫通して蒸発皿１０へ導くドレン管路２０が設けられている。
【００４８】
さらに、蒸発皿１０には、蒸発皿１０に溜まった結露水の水位が所定の値を超えると、その値以上の結露水を冷却ユニット１の外部に導く溢水管２１が設けられている。この溢水管２１は、冷却ユニット１から延出している。
【００４９】
上記構成において、操作部１２を操作して冷却ユニット１を運転すると、圧縮機７、凝縮器用の送風機９、および蒸発器用の送風機１５が運転され、周知の如く冷凍サイクルの作用によって機械室２側では、矢印Ｘで示す如く外気が流入口６ａから流入し、凝縮器８と熱交換して温風となり、流出口６ｂから吹出される。また、冷却室４側では、矢印Ｙで示す如く吸込み口１７から吸込まれた空気が蒸発器１４で冷却され、冷風となって吹出し口１８から吹出される。
【００５０】
このとき、蒸発器１４には、吸込み口１７からの空気に含まれる水分が付着し、結露水となってドレン皿１６に滴下し、所定量になるとドレン管路２０を介して蒸発皿１０へ導かれる。蒸発皿１０へ導かれた結露水は、圧縮機７の高圧管１１によって加熱され、蒸発して機械室２の流出口６ｂから冷却ユニット１外へ排出される。また、蒸発皿１０での蒸発能力以上に溜まった結露水は、溢水管２１より冷却ユニット１の外部へ排出される。
【００５１】
上述の如く動作する冷却ユニット１において、冷却室４では、吸込み口１７と吹出し口１８をそれぞれ対角となる位置に設けているため、吸込み口１７と吹出し口１８の間隔を広く確保することができる。その結果、蒸発器１４を通過する気流の急激な曲がりを緩和することができ、この急激な曲がりに起因する騒音を抑制して静寂な運転を行うことができる。
【００５２】
さらに、蒸発器１４を、吸込み口１７と吹出し口１８の間に位置させ、吸込み口１７から吹出し口１８へ流れる気流方向に対して交差する方向に長くなるよう延出させているため、蒸発器１４を通過する気流の距離を短くすることができる。換言すると、蒸発器１４の薄型化がはかれ、蒸発器１４の通風抵抗を抑制し、熱交換能力を確保することができる。これに伴い、吸込み口１７と吹出し口１８それぞれにおける蒸発器１４に近い辺の距離を近づけることもでき、吸込み口１７と吹出し口１８の面積確保、調整が容易となり、安定した送風性能を確保することができる。
【００５３】
また、矩形の冷却室４において、対角となる位置に吸込み口１７と吹出し口１８を設けているため、冷却ユニット１の外郭に対して所定の角度方向に吸込み気流と吹出し気流が形成されることとなる。その結果、物品貯蔵装置等の被冷却空間（図示せず）に吸込み口１７と吹出し口１８を開口し、冷却ユニット１を運転した場合は、被冷却空間の対角（コーナー）方向において吸込み気流と吹出し気流が形成されることとなる。
【００５４】
したがって、吹出し口１８から吹出された気流は、被冷却空間の壁面に沿って該コーナーへ到達し、上下左右に分布する。一方、吸込み口１７側では、被冷却空間における前記吹出し側のコーナーと対角にあるコーナー側に収束するように吸込み気流を収束させて吸込み口１７より吸込む。
【００５５】
このように、冷却室４の底面の対角位置に吸い込み口１７と吹出し口１８を設けた構成とすることにより、対角側で気流を分散させ、反対角側で分散した気流を収束するように、気流を形成することができ、物品貯蔵装置等の冷却熱源として用いる場合は、気流の分布斑が少ない冷却ユニット１とすることができる。
【００５６】
（実施の形態２）
図４は、本発明の実施の形態２を示す貯蔵装置の斜視図である。図５は、同貯蔵装置における貯蔵室内の気流の分布状態を示す説明図である。なお、実施の形態１と同じ構成要件については、同一の符号を付して説明する。
【００５７】
図４、図５において、貯蔵装置３１は、一面が開口し、内部を物品３２の貯蔵空間（本発明の貯蔵室に相当）３３とする貯蔵庫３４と、前記開口を閉塞する開閉可能な扉体３５と、扉体３５の下部に配置された樋状のドレン受け３６を主体に構成されている。
【００５８】
そして、貯蔵庫３４の天面には、実施の形態１で説明した冷却ユニット１が搭載されている。この冷却ユニット１は、その外郭が扉体３５に近い（前面側）コーナー部に沿うように配置されている。また、貯蔵庫３４の天井面には、開口（図示せず）が設けられ、その開口に冷却ユニット１における冷却室４の底面に形成した吸い込み口１７と吹出し口１８を開口させている。
【００５９】
したがって、吸込み口１７と吹出し口１８は、図５に示す如く、吸込み口１７が、貯蔵空間３３における扉体３５のヒンジ部（図示せず）に近い位置で開口し、吹出し口１８が、吸込み口１７の対角位置となって開口している。
【００６０】
また、吹出し口１８には、該吹出し口１８から吹出される気流を水平方向に規制する偏流板３７が適宜手段にて設けられている。この偏流板３７については、周知の構成でよいため、詳細な説明を省略する。
【００６１】
さらに、冷却ユニット１の溢水管２１には、ドレンホース３８の一端が接続されており、該ドレンホース３８の他端は、ドレン受け３６に開口している。したがって、冷却ユニット１の蒸発皿１０で蒸発せずに溢れた結露水は、ドレンホース３８を介してドレン受け３６へ導かれる。なお、必要に応じてドレンホース３８の他端を、排水路等へ開口し、ドレン水を直接貯蔵装置３１から離れた場所へ導くようにすることもできる。
【００６２】
上記構成において、貯蔵空間３３内に物品３２が格納され、冷却ユニット１を運転すると、実施の形態１で説明したように冷却ユニット１の吹出し口１８より冷却された空気が気流となって吹出される。この吹出し口１８より吹出される気流の方向は、偏流板３７によって水平方向に規制され、また、吹出し口１８が、冷却室４において吸込み口１７の対角に位置しているため、吹出し口１８より矢印ｘで示すように、冷却ユニット１の設置位置に対して貯蔵空間３３の扉体３５と対向する壁面へ、所定の角度で衝突するように流れる。そして、前述の壁に当たることにより、矢印ｙで示すように、一部は貯蔵空間３３のコーナーへと流れ、また一部は反コーナー側へと流れ、これらの流れによって広がる気流となる。
【００６３】
広がった気流は、それぞれの壁面に沿って流れ、貯蔵空間３３内に貯蔵された物品３２を包み込むような気流となり、吹出し気流が到達するコーナーの対角に位置する吸込み口１７へ吸込まれ、さらに冷却室４で冷却され、以下、前述の流れで循環する。
【００６４】
このように、蒸発器１４と送風機１５を挟んで対角位置に台形状の吸込み口１７および吹出し口１８を配置した構成とし、冷却ユニット１を貯蔵庫３４のコーナー部に配置することにより、冷却ユニット１からは、貯蔵空間３３の対角方向、もしくはそれに近い方向へ冷気を吹出すことができ、吹出された冷気は、貯蔵された物品３２を包み込むように分散して流れるため、貯蔵空間３３内の温度分布を一様化し易くなる。
【００６５】
しかも、冷却ユニット１を特別な方向に設定して配置するものではなく、冷却ユニット１の外郭が貯蔵庫３４の外郭と平行になる、所謂通常の配置構成でよいため、設置作業に複雑さが伴うものでもない。
【００６６】
さらに、本実施の形態２においては、冷却ユニット１を、貯蔵庫３４のコーナー部に配置したが、多少コーナー部から離れた箇所に設置した場合であっても、吹出し口１８から吹出される気流は、貯蔵空間３３の壁面に所定の角度をもって衝突するため、貯蔵空間３２のコーナー部へ到達し易く、また、貯蔵空間３３全体に広がり易い気流が形成されることになる。
【００６７】
上述の如く、冷却ユニット１を搭載した貯蔵装置３１は、貯蔵空間３３内のコーナー部まで気流を到達させることができるため、貯蔵空間３３内における温度分布の斑を緩和して貯蔵品質を安定させることができる。
【００６８】
特に、冷却ユニット１を、貯蔵庫３４の天面におけるコーナー部に配置することにより、吹出し口１８から吹出される気流の方向を、貯蔵空間３３内において、該冷却ユニット１が配置されたコーナーの対角方向とすることができ、その結果、貯蔵空間３３の気流が到達するコーナー部近辺を軸に、気流を上下左右に分布させ、吸込み口１７側へ導く流れを形成することになり、貯蔵空間３３内の温度分布をより良好とし、貯蔵品質をより安定させることができる。
【００６９】
なお、本実施の形態１および２においては、冷却ユニット１について、貯蔵空間３３内を冷却する冷却ユニットを例に説明したが、貯蔵空間３３内を所定温度範囲に維持する恒温ユニット、あるいは所定湿度範囲に維持する除湿ユニット等についても同様に実施できるものである。
【産業上の利用可能性】
【００７０】
本発明にかかる空調ユニットは、冷風、温風、乾燥風等を、空間内におけるコーナー部へ到達させることを可能とするもので、居室空調用としても利用でき、また、貯蔵装置についても、穀物等の農産物貯蔵に限るものではなく、除湿・乾燥・恒温管理を必要とする物品の貯蔵装置として幅広く利用することができるものである
【図面の簡単な説明】
【００７１】
【図１】本発明の実施の形態１における空調ユニットの底面側からの斜視図
【図２】同空調ユニットの内部構成を示す図１のＡ−Ａ線による縦断面図
【図３】同空調ユニットの内部構成を示す図１のＢ−Ｂ線による平面断面図
【図４】本発明の実施の形態２を示す貯蔵装置の斜視図
【図５】同貯蔵装置における貯蔵室内の気流の分布状態を示す説明図
【図６】従来例を示す空調ユニットを具備した農産物低温貯蔵庫の斜視図
【図７】同農産物低温貯蔵庫の天井面に取付けられた空調ユニットの内部構成図
【図８】同空調ユニットの吸込み口部と吹出し口部の構造を示す図７のＣ−Ｃ線による断面図
【符号の説明】
【００７２】
１    冷却ユニット（空調ユニット）
２    機械室
３    風路部材
３ａ  壁面
３ｂ  壁面
３ｃ  壁面
４    冷却室（熱交換室）
５    本体
７    圧縮機
８    凝縮器（熱源側熱交換器）
９    凝縮器用の送風機（熱源側送風手段）
１４  蒸発器（利用側熱交換器）
１５  蒸発器用の送風機（送風手段）
１７  吸込み口
１８  吹出し口
１９  減圧手段
２２  風路
３１  貯蔵装置
３２  物品
３３  貯蔵空間（貯蔵室）
３４  貯蔵庫
３５  扉体
【図１】
2010133630.tif 000003
【図２】
2010133630.tif 000004
【図３】
2010133630.tif 000005
【図４】
2010133630.tif 000006
【図５】
2010133630.tif 000007
【図６】
2010133630.tif 000008
【図７】
2010133630.tif 000009
【図８】
2010133630.tif 000010